(57)【要約】【課題】この発明は、テレビ放送等の放送閲覧の機能を楽しむ余り、バッテリーを消費してしまい、通話しようとした際に通話機能が使用できなくことがないように、最低限の通話ができる状態を確保できるように工夫された携帯電話機、携帯電話機のバッテリー制御プログラムを提供する。【解決手段】複数のバッテリーを備え、使途に応じて前記複数のバッテリーから電源を供給し、テレビ閲覧時にバッテリーの残量が少なくなると、その旨を通知して、テレビ閲覧を制限する。【選択図】  図２
2004274095.tif 000002
【特許請求の範囲】
【請求項１】
無線で音声又はデータの送受信を行う無線送受信部と、
テレビ放送等の放送電波を受信する放送受信部と、
前記無線送受信部と放送受信部にそれぞれ個別に電源を供給する電源供給部と、
前記電源供給部に備えられた複数のバッテリーと、
前記複数のバッテリーの使途を管理する使途管理部と、
前記使途管理部が管理する使途に応じて、前記無線送受信部乃至放送受信部に対する電源供給を管理する電源供給管理部と、
前記バッテリーの残量を監視する電源監視部と、
放送受信中に前記放送受信部に対して電源を供給しているバッテリーの残量が少なくなった場合にその旨を通知する通知部と、
前記通知後に、前記放送受信部への電源供給を制限する電源供給制限部とを備えたことを特徴とする携帯電話機。
【請求項２】
放送受信の継続を指示する継続指示部を備え、前記電源供給制限部は、バッテリーの残量が少なくなった際に、前記継続指示部からの継続指示があると、前記放送受信部への電源供給を継続することを特徴とする請求項１記載の携帯電話機。
【請求項３】
無線で音声又はデータの送受信を行う無線送受信部と、テレビ放送等の放送電波を受信する放送受信部とを備えた携帯電話機を、
前記無線送受信部と放送受信部にそれぞれ個別に電源を供給する電源供給手段と、
前記電源供給部に備えられた複数のバッテリーの使途を管理する使途管理手段と、
前記使途管理手段が管理する使途に応じて、前記無線送受信部乃至放送受信部に対する電源供給を管理する電源供給管理手段と、
前記バッテリーの残量を監視する電源監視手段と、
放送受信中に前記放送受信部に対して電源を供給しているバッテリーの残量が少なくなった場合にその旨を通知する通知手段と、
前記通知後に、前記放送受信部への電源供給を制限する電源供給制限手段として機能させることを特徴とする携帯電話機の放送受信機能の制御プログラム。
【請求項４】
放送受信の継続を指示する継続指示手段を備え、バッテリーの残量が少なくなった際に、前記継続指示手段からの継続指示があると、前記放送受信手段への電源供給を継続させることを特徴とする請求項１記載の携帯電話機の放送受信機能の制御プログラム。
【発明の詳細な説明】
【０００１】
【発明の属する技術分野】
この発明は、テレビ放送等の放送受信機能を内蔵した携帯電話機（ＰＨＳ，携帯情報端末含む）のバッテリー残量検知による機能制御に関するものである。
【０００２】
【従来の技術】
近年、携帯電話機の普及が著しい。
【０００３】
最近の携帯電話機は、単に通話用に用いられるだけでなく、電子メールの送受信，インターネット閲覧や画像情報の送受信など情報端末装置としての機能が付加されており、将来的には、テレビ放送受信機の機能も付加されると予想される。
【０００４】
また、このような携帯電話機はバッテリー駆動であるため、限られた容量のバッテリーで少しでも長い時間の使用が可能なように、省電力化が進んでいる（特許文献１参照）。
【０００５】
【特許文献１】
特開２００２−２２３２９１号公報
【０００６】
【発明が解決しようとする課題】
しかしながら、省電力化により電力消費を抑えても、多機能化が進めば、テレビ放送閲覧など通話以外でも使用する時間が増えてしまい、テレビ閲覧に夢中になっている間にバッテリーが消費され、通話したいと思って時にバッテリー不足により通話が出来なくなる、という問題が起きる虞があった。
【０００７】
この発明は、このような事情に鑑みなされたものであり、テレビ放送等の放送閲覧の機能を楽しむ余り、バッテリーを消費してしまい、通話しようとした際に通話機能が使用できなくことがないように、最低限の通話ができる状態を確保できるように工夫された携帯電話機、携帯電話機のバッテリー制御プログラムを提供することを目的とする。
【０００８】
【課題を解決するための手段】
この発明の第１発明の携帯電話機は、上記目的を達成するため、無線で音声又はデータの送受信を行う無線送受信部と、テレビ放送等の放送電波を受信する放送受信部と、前記無線送受信部と放送受信部にそれぞれ個別に電源を供給する電源供給部と、前記電源供給部に備えられた複数のバッテリーと、前記複数のバッテリーの使途を管理する使途管理部と、前記使途管理部が管理する使途に応じて、前記無線送受信部乃至放送受信部に対する電源供給を管理する電源供給管理部と、前記バッテリーの残量を監視する電源監視部と、放送受信中に前記放送受信部に対して電源を供給しているバッテリーの残量が少なくなった場合にその旨を通知する通知部と、前記通知後に、前記放送受信部への電源供給を制限する電源供給制限部とを備えたことを特徴とする。
【０００９】
この発明の第２発明の携帯電話機は、上記目的を達成するため、    上記第１発明において、放送受信の継続を指示する継続指示部を備え、前記電源供給制限部は、バッテリーの残量が少なくなった際に、前記継続指示部からの継続指示があると、前記放送受信部への電源供給を継続することを特徴とする。
【００１０】
この発明の第３発明の携帯電話機の放送受信機能の制御プログラムは、上記目的を達成するため、無線で音声又はデータの送受信を行う無線送受信部と、テレビ放送等の放送電波を受信する放送受信部とを備えた携帯電話機を、前記無線送受信部と放送受信部にそれぞれ個別に電源を供給する電源供給手段と、前記電源供給部に備えられた複数のバッテリーの使途を管理する使途管理手段と、前記使途管理手段が管理する使途に応じて、前記無線送受信部乃至放送受信部に対する電源供給を管理する電源供給管理手段と、前記バッテリーの残量を監視する電源監視手段と、放送受信中に前記放送受信部に対して電源を供給しているバッテリーの残量が少なくなった場合にその旨を通知する通知手段と、前記通知後に、前記放送受信部への電源供給を制限する電源供給制限手段として機能させることを特徴とする。
【００１１】
この発明の第４発明の携帯電話機の放送受信機能の制御プログラムは、上記目的を達成するため、上記第３発明において放送受信の継続を指示する継続指示手段を備え、バッテリーの残量が少なくなった際に、前記継続指示手段からの継続指示があると、前記放送受信手段への電源供給を継続させることを特徴とする。
【００１２】
【発明の実施の形態】
以下、この発明の実施の形態を図に基づいて説明する。
【００１３】
図１はこの発明の実施形態である携帯電話機１０の外観図であり、１１はアンテナ、１２は受話用スピーカー、１３はＬＣＤ等からなる表示部、１４は各種キー入力群であり、１４ａはカーソル移動キー、１４ｂは数字や文字入力キー、１４ｃはテレビ放送閲覧時に閲覧制限（禁止）が予告された際にテレビ放送閲覧の継続を指示するＴＶ閲覧継続スイッチ、１５は送話用マイク、１６はマイク・イヤホンジャックである。
【００１４】
図２は携帯電話機１０の機能ブロック構成を示したブロック図である。１０１はＣＰＵ、１０２は無線で音声又はデータの送受信を行う電話通信用の無線送受信部、１０３は前記電話通信用の送受信アンテナ、１０４はテレビ放送，ラジオ放送等の放送電波を受信して、所望の番組を表示出力する放送受信部、１０５は放送受信用アンテナ、１０６は各種キー入力部１４からの信号を判別入力する入力部、１０７はＬＣＤ１３に映像情報を表示する表示部、１０８は受話用スピーカー１２及び送話用マイク１５からなる電話通話部、１０９はバッテリー残量情報に基づいてテレビ放送等の放送閲覧機能の禁止制御を行う制御プログラム等の各種制御プログラムを記憶するプログラム記憶部、１１０は放送番組の音声情報をスピーカー１２乃至イヤホンジャック１５から出力する放送音声出力部、１１１はバッテリー残量に基づいてテレビ放送閲覧機能の動作条件を設定記憶するテレビ閲覧設定情報記憶部、１１２は内部バッテリーであるＡ電池１１３ａ及びＢ電池１１３ｂのそれぞれの電圧を監視すると共に、携帯電話機の使途に応じて電源供給に使用するバッテリーをコントロールするバッテリー残量監視制御部、１１３は充電電池よりなる内部バッテリーで、主として通話機能用に用いるＡ電池１１３ａと、主としてテレビ機能用に用いるＢ電池１１３ｂを備えている。
【００１５】
図３は、前記テレビ閲覧設定情報記憶部に記憶された設定項目と設定情報を示したテーブルの模式図である。設定項目としては、Ａ電池１１３ａとＢ電池１１３ｂの用途（通話専用、ＴＶ専用、通話・ＴＶ兼用）、テレビ放送閲覧時にバッテリー残量によるテレビ放送閲覧の制限機能の動作条件（設定情報：ＯＮ／ＯＦＦ）、バッテリー残量（電圧値）が所定値になったときのテレビ放送閲覧制限機能の動作条件を設定するテレビ放送閲覧制限モードの動作条件（設定情報：ＴＶ閲覧禁止（事前予告あり）／ＴＶ閲覧継続（警告のみ））、及び、前記テレビ放送閲覧制限機能が動作するバッテリー残量の条件を設定するバッテリー残量閾値（設定情報：バッテリー残量（残量９０％、残量７０％、残量５０％、残量３０％、残量１０％））等が設定される。
【００１６】
上述したテレビ閲覧設定情報は、携帯電話機１０のモード設定画面からユーザが適宜設定することができる。図４は、該テレビ放送の閲覧制限条件の設定画面を示した図である。
【００１７】
次に、テレビ放送閲覧中における上記テレビ閲覧制限機能の動作について、図５のフローチャートを参照しながら説明する。
【００１８】
テレビ閲覧スイッチが選択されると（ステップ１、以下、ステップをＳと略記する。図面において同じ。）、内部バッテリー１１３ａ、１１３ｂの使途情報がチェックされる（Ｓ２）。もし、両バッテリーとも通話専用に設定されている場合は、電池の用途変更が必要であることが表示される（Ｓ３）。電池の使途情報が、テレビ専用乃至テレビ兼用の場合は、テレビ用に設定された電池から電源供給することで、表示部１３にテレビ番組映像が表示される（Ｓ４）。
【００１９】
テレビ閲覧制限機能の設定がＯＮになっている場合は（Ｓ５）、テレビ用に割り当てられている電池の残量を監視する（Ｓ６）。電池残量チェックは、テレビ用に設定された電池１１３について行われ、もし、Ａ電池１１３ａ，Ｂ電池１１３ｂの両方がテレビ用に設定されている場合は、両方の電池のトータルの電池残量が監視される。電池残量が十分にある場合は（Ｓ７）、ＴＶ閲覧中であれば（Ｓ１３）、継続して、電池残量の監視が継続される。そして、電池残量が設定した残量に達した場合は（Ｓ７）、警告表示を行う（Ｓ８）。
【００２０】
そして、ＴＶ閲覧制限モードがＴＶ閲覧禁止に設定されている場合は（Ｓ９）、前記警告表示中に、ＴＶ閲覧継続スイッチ１４ｃの押下が押下された否かをチェックし（Ｓ１０）、継続スイッチ１４ｃが押下されていない場合は、テレビ閲覧機能をＯＦＦする（Ｓ１１）。
【００２１】
他方、継続スイッチ１４ｃが押下された場合は（Ｓ１０）、警告表示が消えて、バッテリー残量閾値の設定値を一段下げて（Ｓ１２）（例えば、残量５０％から残量４０％に変更）、継続して電池残量の監視を行う（Ｓ７）。
【００２２】
テレビ閲覧制限モードが、警告のみの場合も、バッテリー残量閾値の設定値を一段下げて、継続して電池残量の監視を行う（Ｓ６）。
【００２３】
今回開示された実施の形態はすべての点で例示であって制限的なものではないと考えられるべきである。本発明の範囲は、上記した実施の形態の説明ではなくて特許請求の範囲によって示され、特許請求の範囲と均等の意味および範囲内でのすべての変更が含まれることが意図される。
【００２４】
【発明の効果】
以上説明したように、この発明によれば、テレビ放送等の放送閲覧の機能を楽しむ余り、バッテリーを消費してしまい、通話しようとした際に通話機能が使用できなくことがないように、最低限の通話ができる状態を確保できるように工夫された携帯電話機、携帯電話機のバッテリー制御プログラムを提供することができる。
【図面の簡単な説明】
【図１】この発明の実施の形態でかかる携帯電話機１０の外観図である。
【図２】この発明の実施の形態にかかる携帯電話機１０の機能ブロック構成を示したブロック図である。
【図３】この発明の実施の形態にかかるテレビ閲覧設定情報記憶部に記憶された設定項目と設定情報を示したテーブルの模式図である。
【図４】この発明の実施の形態にかかる該テレビ閲覧制限の設定画面を示した図である。
【図５】この発明の実施の形態にかかるテレビ閲覧制限機能の動作フローチャートである。
【符号の説明】
１０        携帯電話機
１１        アンテナ
１２        受話用スピーカー
１３        表示部
１４        各種キー入力群
１４ａ      カーソル移動キー
１４ｂ      数字や文字入力キー
１４ｃ      ＴＶ閲覧継続スイッチ（継続指示部）
１５        送話用マイク
１６        マイク・イヤホンジャック
１０１      ＣＰＵ
１０２      無線送受信部
１０３      送受信アンテナ
１０４      放送受信部
１０５      放送受信用アンテナ
１０６      入力部
１０７      表示部（通知部）
１０８      電話通話部
１０９      プログラム記憶部
１１０      放送音声出力部
１１１      テレビ閲覧設定情報記憶部（電源供給管理部、使途管理部）
１１２      バッテリー監視制御部（電源監視部、電源供給制限部）
１１３      内部バッテリー
１１３ａ    Ａ電池
１１３ｂ    Ｂ電池
【図１】
2004274095.tif 000003
【図２】
2004274095.tif 000004
【図３】
2004274095.tif 000005
【図４】
2004274095.tif 000006
【図５】
2004274095.tif 000007